(57)【要約】      （修正有）【課題】全国に散らばっている多数の試験会場に、試験当日前に届いた統一試験問題用紙を入れた包装体を試験当日の少なくとも１時間前までは開封できないように厳密に管理できるようにして、試験問題の漏洩を防止すること。【解決手段】多数枚の試験問題用紙２を封入した包装体３の封緘部位３ａを所要大きさのシール材４で覆うように貼着する手段と、試験当日の遅くとも試験開始１時間前にインターネットを介してシール材の切り取るべき切り取りラインの識別符号を指示する手段と、各試験会場５において、指示された識別符号に対応する切り取りラインに沿ってシール材を切り離して包装体を開封できるようにし、試験終了後に、切り取りラインを切り離したシール材が付いた状態のままの包装体を答案用紙と共に返送させる手段と、返送された包装体のシール材が指示した切り取りラインで切断されているか否かを判定する手段とからなる。【選択図】  図１
2004345720.tif 000002
【特許請求の範囲】
【請求項１】
資格試験等の試験を全国の各試験会場で施行する場合に、統一の試験問題用紙を略同時に各試験会場の受験者に配布し受験させるに当たって、遅くとも試験当日前に各試験会場または試験管理部所に届くように送付する多数枚の試験問題用紙を封入した包装体の封緘部位を所要大きさのシール材で覆うように貼着する手段と、
前記シール材には、複数本の切り取りラインが所定間隔をもって且つ各切り取りラインに識別符号を付して形成されており、試験当日の遅くとも試験開始１時間前にインターネットを介して切り取るべき切り取りラインの識別符号を指示する手段と、
各試験会場において、指示された識別符号に対応する切り取りラインに沿ってシール材を切り離して包装体を開封できるようにし、試験終了後に、切り取りラインを切り離したシール材が付いた状態のままの包装体を答案用紙と共に返送させる手段と、
返送された包装体のシール材が指示した切り取りラインで切断されているか否かを判定する手段とからなること
を特徴とする試験問題用紙封入包装体の不正開封防止システム。
【請求項２】
各試験会場には、予めインターネットのパスワードを教示しておき、試験当日の遅くとも試験開始１時間前にインターネットを利用し前記パスワードによって専用ページにログインして開封のための識別符号を確認できるようにした
請求項１に記載の試験問題用紙封入包装体の不正開封防止システム。
【請求項３】
前記シール材には、切り取りラインが形成された領域を避けた両端部近傍に剥離紙付きの接着剤領域を設けてある
請求項１または２に記載の試験問題用紙封入包装体の不正開封防止システム。
【発明の詳細な説明】
【０００１】
【発明の属する技術分野】
本発明は、例えば、パソコン検定、簿記検定、英語検定試験、危険物取り扱いまたは電気工事士の資格試験等の全国レベルで試験を行う場合に、多数の試験会場が全国に散らばった状態にあり、各試験会場に対して、予め受験者の数に対応する枚数の統一試験問題用紙を所要の包装体に入れてそれぞれ送付しておき、試験当日の決められた時間でないと包装体を開封することができないようにした不正開封防止システムに関するものである。
【０００２】
【従来の技術】
従来、この種の試験においては、能力レベルを公平に評価する上で、受験者に対して統一した試験問題を受験させて評価するようにしている。このような統一試験問題で受験させる場合には、受験者が多くても同日同時刻に受験させることが絶対条件であり、例えば、大都市（東京）に試験会場を設定して受験させることが望ましいが、大都市に在住の受験者と地方都市に在住の受験者とでは、受験料の他に交通費及び宿泊費等において大きな格差が生じること、及び大都市に慣れない地方からの受験生が試験会場に到着するまでに交通機関等で戸惑いがあること、等の要因で受験機会が公平でないこと等によって、地方都市でも受験が可能なように配慮されてきている。
【０００３】
そこで、各地方都市に試験会場を設定すると、多数の試験会場が全国に散らばった状態になり、これら多数の試験会場においては、試験問題用紙の配布及び受験日時等の実施・管理・監視等が強く要求されることになる。
【０００４】
現状では、多数存在する各試験会場または試験管理部所に対して、予め各試験会場の受験者の数に対応する枚数の統一試験問題用紙を所要の包装体に入れ、厳重に密封した上で遅くとも試験当日の前日までに届くように送付し、各試験会場または試験管理部所の責任者は、その届いた包装体を開封することなく試験問題用紙を密封したまま、例えば、金庫等に入れ試験問題用紙が外部に持ち出されたり、または試験問題が外部に漏洩しないように厳重に管理し、試験当日に包装体を金庫から出して開封し、試験問題用紙を試験会場の受験者に配布することを厳しく義務付けている。
【０００５】
【特許文献】
無し
【０００６】
【発明が解決しようとする課題】
しかしながら、試験会場または試験管理部所が多数存在することから、場所によっては、試験問題用紙を入れた包装体が試験当日の２、３日前に届く場合もあり、試験当日まで開封しないよう厳重に管理することを通達しても、管理責任者のモラルにもよるが、問題用紙の枚数をチェックするという名目のために開封したり、その開封したものを形式的に金庫などに入れて保管したとしても、２４時間監視し続けている訳ではなく、また、金庫の鍵の保持者が複数人いたりし、慣れ合いによるズサンな管理等によって、試験当日前に試験問題が漏洩することが現実問題としてしばしば生じているのである。
【０００７】
従って、試験当日前に届いた試験問題用紙を入れた包装体を試験当日の少なくとも１時間前までは開封できないように厳密に管理できるようにして、試験問題の漏洩を防止することに解決しなければならない課題を有している。
【０００８】
【課題を解決するための手段】
上記した課題を解決する具体的手段として本発明は、資格試験等の試験を全国の各試験会場で施行する場合に、統一の試験問題用紙を略同時に各試験会場の受験者に配布し受験させるに当たって、遅くとも試験当日前に各試験会場または試験管理部所に届くように送付する多数枚の試験問題用紙を封入した包装体の封緘部位を所要大きさのシール材で覆うように貼着する手段と、前記シール材には、複数本の切り取りラインが所定間隔をもって且つ各切り取りラインに識別符号を付して形成されており、試験当日の遅くとも試験開始１時間前にインターネットを介して切り取るべき切り取りラインの識別符号を指示する手段と、各試験会場において、指示された識別符号に対応する切り取りラインに沿ってシール材を切り離して包装体を開封できるようにし、試験終了後に、切り取りラインを切り離したシール材が付いた状態のままの包装体を答案用紙と共に返送させる手段と、返送された包装体のシール材が指示した切り取りラインで切断されているか否かを判定する手段とからなることを特徴とする試験問題用紙封入包装体の不正開封防止システムを提供するものである。
【０００９】
この発明において、各試験会場には、予めインターネットのパスワードを教示しておき、試験当日の遅くとも試験開始１時間前にインターネットを利用し前記パスワードによって専用ページにログインして開封のための識別符号を確認できるようにしたこと、及び前記シール材には、切り取りラインが形成された領域を避けた両端部近傍に剥離紙付きの接着剤領域を設けてあること、を付加的要件として含むものである。
【００１０】
本発明に係る試験問題用紙封入包装体の不正開封防止システムは、試験問題用紙を入れた包装体の封緘部を各識別符号を付した複数本の切り取りラインを有するシール材で覆ってあり、包装体を開封するためには、試験当日の遅くとも試験開始１時間前にインターネットを介して切り取るべき切り取りラインの識別符号を公表または指示するようにしたことによって、不正な開封を防止し試験問題の漏洩を完全に防止することができるようにしたのである。
【００１１】
【発明の実施の形態】
次に、本発明に係る具体的な実施の形態を図面に基づいて詳しく説明する。
まず、図１は、本発明を実施するためのシステムを略示的に示したブロック図であって、試験実施団体または試験実施本部１によって作成した統一試験問題用紙２（答案用紙付き）を各試験会場または試験管理部所の受験生の数に対応した枚数をそれぞれ仕分けして所要の包装体３にそれぞれ収納し、各包装体３の封緘部３ａを覆うようにシール材４を貼着して封止するものである。
【００１２】
このようにシール材４で封止した包装体３は、各対応する各試験会場または試験管理部所５−１、５−２、……５−ｎに対して、少なくとも試験前日に、好ましくは２〜３日前には到着するように発送される。例えば、試験日の１週間前に配達証明付きの書留郵便物で発送すれば、遅くとも３〜４日後（試験日の２〜３日前）には各試験会場または試験管理部所に、試験問題用紙２を入れた包装体３が到着していることを配達証明により確認できるのである。
【００１３】
また、他の手段、例えば、配達日時指定の宅急便（Ｒ）等を利用して送付した場合には、各対応する各試験会場または試験管理部所５−１、５−２、……５−ｎにおいては、到着した時点で各自パソコン５−１ａ、５−２ａ、……５−ｎａ等を使用し、インターネットを通じて到着したことを試験実施団体または試験実施本部１に通知する。この場合に、各試験会場または試験管理部所５−１、５−２、……５−ｎには、予めそれぞれコード番号とパスワードとを付与しておき、専用ページにログインして到着の表示またはマークをクリックすることを義務付けておき、各試験会場または試験管理部所からのログインによってそれぞれの到着日時が試験実施団体または試験実施本部１において記録され、確認できるようにしても良いのである。
【００１４】
いずれにしても、試験当日の前日までには統一試験問題用紙２が入った包装体３が、各試験会場又は試験管理部所に届いていることが絶対条件であり、仮に、試験当日の前日までに包装体３が各試験会場又は試験管理部所に届いていない場合には、直ちに、発送した包装体３の追跡調査を行うと共に、新たに所要枚数の同じ統一試験問題用紙２を包装体に入れ、前記と同様に包装体の封緘部を覆うようにシール材４を貼着し封止して、例えば、配達時間指定の宅急便（Ｒ）を利用して遅くとも試験開始の１時間前までには試験会場に包装体を届けるようにする。
【００１５】
使用される包装体３としては、例えば、図２に示したように、両側面にギャザが付いたパウチック式の封筒で、且つ封緘部位３ａ近傍に、封止用の一対のはと目６ａ、６ｂと紐７の付いた構成のものが使用され、統一試験問題用紙２を入れた後に、はと目６ａ、６ｂ間を紐７で括って一応の封止をし、更に、その上にシール材４を貼着して、封緘部位３ａを封止するのである。
【００１６】
この場合に使用されるシール材４は、図３に示したように、所要大きさの長方形を呈する紙材で形成され、両端部側の背面に所要広さの接着剤領域４ａ、４ｂが設けられると共に剥離紙８が貼着されている。
【００１７】
そして、表面側には、接着剤領域４ａ、４ｂに対応する部分にそれぞれ注意書領域９ａ、９ｂが設けられ、これら両注意書領域９ａ、９ｂ間、即ち、接着剤領域４ａ、４ｂから外れた中間部分に、所要間隔（１ｃｍ程度）をもって横方向に複数本、例えば、１０本の切り取りライン１０が設けられ、該各切り取りライン１０には、例えば、Ａ〜Ｊの識別符号１１が付されている。また、不用意にシール材４を破かれないように、切り取りライン１１の略中央部に縦方向の所要幅の注意書領域１２を設けてある。なお、一方の接着剤領域４ａは、包装体３の表側に接着させるため、その領域の略境界位置にヤマオリのライン１３が設けられている。
【００１８】
このシール材４を、統一試験問題用紙２を封入した包装体３に取り付ける場合について、その一例を図４〜９に示してある。
先ず、図４に示したように、シール材４は、ヤマオリのライン１３に沿って一方の接着剤領域４ａ、即ち、一方の注意書領域９ａが外側になるように折り畳んで折り癖を付ける。
【００１９】
そして、図５に示したように、接着剤領域４ａに対応する部分の剥離紙８を剥離させ、該剥離紙８は折り畳んだ状態を維持し接着剤領域４ａはある程度開くかまたは起立させた状態にしてテーブル上に置き、包装体３の表面を上にし略中央部の頂部をヤマオリのライン１３に沿った折り目に合わせると共に、包装体３の裏面側で折り畳んだ剥離紙８を押さえ付けるようにした状態で、前記起立した接着剤領域４ａを包装体３の頂部側から底部側に向けて撫で付けるようにして接着させると、図６に示したように、包装体３の表面側頂部に適正な状態でシール材４の接着剤領域４ａを接着させることができる。
【００２０】
次に、図７に示したように、包装体３を裏返しにし、未だ接着していない接着領域４ｂを接着させるために、シール材４を持ち上げて先に折り畳んだ剥離紙８の端部を一方の手で摘み、図８に示したように、剥離紙８を包装体３の底部側に引きながらシール材４を撫で付けるようにすることで、接着領域４ｂを包装体３の裏面側で、且つ紐７で括って封止したはと目６ａ、６ｂを完全に覆って適正な状態で接着させる。
【００２１】
このようにシール材４を接着させることで、図９に示したように、包装体３の裏面側においては、封緘部位３ａにおける紐７で括って封止したはと目６ａ、６ｂが完全に覆われているので、シール材４を破かない限り封緘部位３ａを開封するための操作、即ち、紐７を解いて封を開ける操作ができない状態にしているのである。
【００２２】
そして、シール材４における接着剤領域４ａ、４ｂにそれぞれ設けられた注意書領域９ａ、９ｂ、１２には、例えば、「検定前開封厳禁」とか、「必ずお読み下さい」等の目立つような大きな見出しを付けると共に、具体的な注意書、例えば、「検定前に開封された場合、当試験は無効となります」等を表示または記載してある。
【００２３】
更に、細かい具体的な注意書として、例えば、「検定前」という見出しを付けて「検定試験当日試験開始１時間前、Ｗｅｂサイトにて開封記号（Ａ〜Ｊ）を公表しますので、指定記号の点線に沿って帯を切って開封してください。その際シールは封筒からはがさないで下さい。封筒は回収します。」等の記載、「試験終了後」の見出しを付けて「この封筒を答案と共にお戻し下さい。」とか、または、「注意」の見出しを付けて「シールをはがさないようご注意下さい。」等の記載及び表示をすると共に、「認定会場Ｎｏ．」の記載欄も設けてある。なお、認定会場Ｎｏ．については、試験実施本部１において予め記載または印字するものである。
【００２４】
このように統一試験問題用紙２を封入した包装体３の封緘部位３ａをシール材４で覆った状態で、各試験会場または試験管理部所５−１〜５−ｎに対して、少なくとも試験当日の前日までに予め送達しておけば良いのである。そして、各試験会場または試験管理部所においては、試験当日まで包装体３を開封することなく、厳重に保管管理しなければならないことを義務付けておき、試験当日の少なくとも試験開始１時間前に試験実施団体または試験実施本部１において、開封記号（Ａ〜Ｊ）の内、例えば、開封記号が「Ｂ」であることをＷｅｂサイトにて公表する。
【００２５】
各試験会場または試験管理部所５−１〜５−ｎにおいては、試験当日の試験開始１時間前に、図１に示したように、各自パソコン５−１ａ、５−２ａ、……５−ｎａ等を使用し、インターネットを通じ予め付与されているパスワードを用いて、専用ページにログインし、公表されている開封記号の「Ｂ」を確認し、その公表された開封記号「Ｂ」を付したラインに沿って、例えば、鋏等を用いてシール材４を切断することにより、封緘部３ａ、即ち紐７で括って封止したはと目６ａ、６ｂを露出させることができ、それによってはと目６ａ、６ｂに対する紐７の係合を解いて包装体３を開封し、内部に収納した統一試験問題用紙２を取り出すことができ、各試験会場において受験生に配布して受験させることができるのである。
【００２６】
試験終了後において、各試験会場では回収した答案用紙と共に、切断したシール材４が付いたままの開封した包装体３を一緒にして試験実施団体または試験実施本部１に返送する。試験実施団体または試験実施本部１は、返送された包装体３のシール材４が、公表した開封記号「Ｂ」のラインで切断されているか否かをチェックして適正に開封されたか否かを確認する。仮に、公表した開封記号と違うラインで切断されていたり、切断の仕方がラインに沿わず手で破いたような場合には、その試験会場に対して、その試験会場で受験した全ての試験を無効とする旨の通知をし、当然のこととして採点も行わないようにする。
【００２７】
このような事態が生ずるのを避けるために、各試験会場または試験管理部所における責任者は、事前に送達された包装体３の保管管理が厳重に行われ、不正な開封が阻止されて、試験問題の漏洩が解消できるのである。なお、包装体３として使用されるものとして、封筒を例に挙げて説明したが、これに限定されることなく、例えば、薄手の段ボール箱等も使用できることは言うまでもない。
【００２８】
【発明の効果】
以上説明したように、本発明に係る試験問題用紙封入包装体の不正開封防止システムは、資格試験等の試験を全国の各試験会場で施行する場合に、統一の試験問題用紙を略同時に各試験会場の受験者に配布し受験させるに当たって、遅くとも試験当日前に各試験会場または試験管理部所に届くように送付する多数枚の試験問題用紙を封入した包装体の封緘部位を所要大きさのシール材で覆うように貼着する手段と、前記シール材には、複数本の切り取りラインが所定間隔をもって且つ各切り取りラインに識別符号を付して形成されており、試験当日の遅くとも試験開始１時間前にインターネットを介して切り取るべき切り取りラインの識別符号を指示する手段と、各試験会場において、指示された識別符号に対応する切り取りラインに沿ってシール材を切り離して包装体を開封できるようにし、試験終了後に、切り取りラインを切り離したシール材が付いた状態のままの包装体を答案用紙と共に返送させる手段と、返送された包装体のシール材が指示した切り取りラインで切断されているか否かを判定する手段とからなるものであって、全国に散らばっている多数の試験会場に対して、統一の試験問題用紙を入れた包装体を、例えば、試験当日前の２〜３日またはそれ以上（１週間前でも良い）の余裕をもって送達しておいても、試験問題用紙を入れた包装体の封緘部を各識別符号を付した複数本の切り取りラインを有するシール材で覆ってあるので、包装体を開封するためには、試験当日の遅くとも試験開始１時間前にインターネットを介して切り取るべき切り取りラインの識別符号を公表または指示するようにしたことによって、不正な開封を防止し試験問題の漏洩を完全に防止することができるという優れた効果を奏する。
【図面の簡単な説明】
【図１】本発明に係るシステムとして実施の形態を略示的に示したブロック図である。
【図２】同実施の形態において使用される包装体の一例を示す斜視図である。
【図３】同実施の形態において使用されるシール材の一例を示す平面図である。
【図４】同シール材を包装体に貼着させる前段階の行程を示す斜視図である。
【図５】同シール材を包装体に貼着させる状況を説明するための説明図である。
【図６】同シール材の一分を包装体の表面側に貼着させた状態を示す平面図である。
【図７】同シール材を包装体の裏面側の封緘部に貼着させる状況を説明するための説明図である。
【図８】同シール材の他の一分を包装体の裏面側に貼着させる状況を説明するための説明図である。
【図９】同シール材を包装体の裏面側に貼着させた状態を示す平面図である。
【符号の説明】
１  試験実施団体または試験実施本部
２  試験問題用紙
３  包装体
４  シール材
４ａ、４ｂ  接着剤領域
５−１〜５−ｎ  試験会場または試験管理部所
５−１ａ〜５−ｎａ  各試験会場のパソコン
６ａ、６ｂ  はと目
７  紐
８  剥離紙
９ａ、９ｂ、１２  注意書領域
１０  切り取りライン
１１  識別符号
【図１】
2004345720.tif 000003
【図２】
2004345720.tif 000004
【図３】
2004345720.tif 000005
【図４】
2004345720.tif 000006
【図５】
2004345720.tif 000007
【図６】
2004345720.tif 000008
【図７】
2004345720.tif 000009
【図８】
2004345720.tif 000010
【図９】
2004345720.tif 000011